(57)【要約】【課題】助触媒が担持された光触媒体による光触媒反応により改質されたガスをアノード側、カソード側双方から個別に回収すること。【解決手段】板状の光触媒体Ｐにおける一方の面にアノード用助触媒Ｃ１が担持され、他方の面にカソード用助触媒Ｃ２が担持された板状試料Ｓを被試験体とし、この板状試料Ｓを筐体となるアノード側ホルダ２とカソード側ホルダ３との間にシール部材４を介在させ挟持保持することでアノード側気密空間Ｅ１とカソード側気密空間Ｅ２を形成する。そして、アノード側気密空間Ｅ１内に供給された酸化ガスが酸化反応により改質されたガスと、カソード側気密空間Ｅ２内に供給された還元ガスが還元反応により改質されたガスを各空間Ｅ１，Ｅ２から個別に回収する。【選択図】図１
2020028864.tif 000002
【特許請求の範囲】
【請求項１】
隔壁を境に、アノード用助触媒が担持された光触媒体が収容されるアノード側気密空間と、カソード用助触媒が担持された光触媒体が収容されるカソード側気密空間が形成される筐体と、
前記アノード側気密空間内で前記光触媒体が酸化反応するための光を透過させるアノード側透過窓と、
前記カソード側気密区間内で前記光触媒体が還元反応するための光を透過させるカソード側透過窓と、
前記アノード側気密空間に酸化ガスを供給するアノード側ガス供給部と、
前記アノード側気密空間内の酸化反応により改質されたガスを前記アノード側気密空間内から排出させるアノード側ガス排出部と、
前記カソード側気密空間内に還元ガスを供給するカソード側ガス供給部と、
前記カソード側気密空間内の還元反応により改質されたガスを前記カソード側気密空間内から排出させるカソード側ガス排出部と、
を備えることを特徴とする光触媒体試験用ホルダ。
【請求項２】
前記隔壁は、一方の面に前記アノード用助触媒が担持され、他方の面に前記カソード用助触媒が担持された板状の光触媒体からなる板状試料とし、
前記筐体は、２分割されたホルダで構成され、
前記ホルダの間に、シール部材を介在させた状態で前記板状試料を挟持保持して前記アノード側気密空間と前記カソード側気密空間を形成することを特徴とする請求項１記載の光触媒体試験用ホルダ。
【発明の詳細な説明】
【技術分野】
【０００１】
本発明は、光触媒体を試験するための光触媒体試験用ホルダに関するものである。
【背景技術】
【０００２】
近年、天然ガスやシェールガスなどの豊富なメタン源や温室効果ガスである二酸化炭素を付加価値の高い化学原料に変換する動きが着目されている。例えばメタンを合成ガスと呼ばれる混合ガスへの改質プロセスにおいては、より低温で駆動し、固体炭素析出による性能劣化が少ない高性能触媒が求められており、ドライリフォーミングなどの改質反応をより省エネルギー、低二酸化炭素排出で進行させるため、太陽光エネルギーなどの再生可能エネルギーと光触媒材料を用いた改質反応の研究が進められている。
【０００３】
下記非特許文献１には、紫外線による光触媒反応の試験装置について記載されている。この文献に記載の手法は、まず化学還元法を用いてＣｕＣｌ2 及びＺｎＣｌ2 のＮａＢＨ4 との還元反応により調製されたＣｕ  ＮＰ（ナノ粒子）及びＺｎ  ＮＰ（ナノ粒子）をインク法で調製した助触媒となるＣｕ−Ｚｎ  ＮＰｓを光触媒体であるＳｒＴｉＯ3 （ナノ粉末）に担持させる。次に、助触媒が担持されたＳｒＴｉＯ3 粉末を多孔質セラミック容器内に載せ、このセラミック容器を透光性を有する石英窓が設けられた加熱機能付き反応器にセットする。そして、前処理としてＡｒガスを温度５７３Ｋ、１時間１００ｍｌ／ｍｉｎの流速で導入し、室温での触媒反応の間は水バブラーを通過させた湿潤ＡｒガスとＣＯ2 ガスを容器内に導入し、波長２４０〜３００ｎｍのＵＶ光を光源から照射した状態でガスフロー下において触媒反応を実施している。
【先行技術文献】
【特許文献】
【０００４】
【非特許文献１】G.Yin,H.Sako,G.V.Ramesh,S.Ueda,A.Yamaguchi,H.AbeM.Miyauchi,"Cu-Zn nanoparticles promoter for selective carbon dioxide reduction and its application for visible-light-active Z-scheme system using water as electron donor";Chem.Commun.,54,3947(2018)
【発明の概要】
【発明が解決しようとする課題】
【０００５】
上述したように、非特許文献１に開示される手法は、酸化反応を促進させる助触媒と還元反応を促進させる助触媒とを粉末状の光触媒体に担持させた状態でセラミック容器内に収容し、この容器を反応器内にセットした状態で光触媒反応に必要な光や反応ガス（酸化ガスや還元ガス）を反応器内に供給している。
【０００６】
しかしながら、この手法ではセラミック容器内に収容された光触媒体に対し２種類の反応ガスが同一空間内に供給されるため、酸化反応と還元反応が同一容器内で起こってしまい、光触媒反応によって改質されたガスが混合された状態で排気されるという問題があった。
【０００７】
そのため、助触媒と光触媒体との新規の組み合わせを研究する上で、流入させた各反応ガスの流量に対する反応効率を正確に把握するために酸化反応と還元反応が個別に実施可能な装置の開発が望まれている。
【０００８】
そこで、本発明は上記問題点に鑑みてなされたものであって、助触媒が担持された光触媒体の光触媒反応において、酸化反応と還元反応を同時に個別に試験することができる光触媒体試験用ホルダを提供することを目的としている。
【課題を解決するための手段】
【０００９】
上記目的を達成するため、本発明に係る第１の態様は、隔壁を境に、アノード用助触媒が担持された光触媒体が収容されるアノード側気密空間と、カソード用助触媒が担持された光触媒体が収容されるカソード側気密空間が形成される筐体と、
前記アノード側気密空間内で前記光触媒体が酸化反応するための光を透過させるアノード側透過窓と、
前記カソード側気密区間内で前記光触媒体が還元反応するための光を透過させるカソード側透過窓と、
前記アノード側気密空間に酸化ガスを供給するアノード側ガス供給部と、
前記アノード側気密空間内の酸化反応により改質されたガスを前記アノード側気密空間内から排出させるアノード側ガス排出部と、
前記カソード側気密空間内に還元ガスを供給するカソード側ガス供給部と、
前記カソード側気密空間内の還元反応により改質されたガスを前記カソード側気密空間内から排出させるカソード側ガス排出部と、
を備えることを特徴とする、光触媒体試験用ホルダである。
【００１０】
本発明の第２の態様は、第１の態様に係る光触媒体試験用ホルダにおいて、前記隔壁は、一方の面に前記アノード用助触媒が担持され、他方の面に前記カソード用助触媒が担持された板状の光触媒体からなる板状試料とし、
前記筐体は、２分割されたホルダで構成され、
前記ホルダの間に、シール部材を介在させた状態で前記板状試料を挟持保持して前記アノード側気密空間と前記カソード側気密空間を形成することを特徴とする、光触媒体試験用ホルダである。
【発明の効果】
【００１１】
本発明によれば、筐体内に隔壁を境界として形成されたアノード側気密空間，カソード側気密空間内に酸化反応又は還元反応を促進させる異なる助触媒が担持された光触媒体が個別に収容されるため、各空間に酸化ガス又は還元ガスを個別に供給しながら光触媒反応により改質されたガスの回収を空間毎に行うことができる。このため、供給した酸化ガスや還元ガスのガス流量に対する光触媒体の反応効率を正確に把握できるとともに、助触媒と光触媒体の新規の組み合わせに関する研究も効率よく行うことができる。
【図面の簡単な説明】
【００１２】
【図１】本発明に係る光触媒体試験用ホルダの概略構成を示す分解斜視図である。
【図２】同試験用ホルダの概略断面図である。
【図３】同試験用ホルダを電気炉に収容した状態を示す概略断面図である。
【発明を実施するための形態】
【００１３】
以下、本発明を実施するための形態について、添付した図面を参照しながら詳細に説明する。
【００１４】
なお、本明細書に添付する図面は、図示と理解のしやすさの便宜上、適宜縮尺、縦横の寸法比、形状などについて、実物から変更し模式的に表現される場合があるが、あくまで一例であって、本発明の解釈を限定するものではない。従って、添付した図面を用いて説明する実施の形態により、本発明が限定されず、この形態に基づいて当業者などにより考え得る実施可能な他の形態、実施例及び運用技術などは全て本発明の範疇に含まれるものとする。
【００１５】
また、本明細書において、添付する各図を参照した以下の説明において、方向乃至位置を示すために上、下、左、右の語を使用した場合、これはユーザが各図を図示の通りに見た場合の上、下、左、右に一致する。
【００１６】
本発明の光触媒体試験用ホルダ１（以下、単に「試験用ホルダ１」ともいう）は、筐体内に形成された２つの気密空間のうち酸化反応が起こるアノード側気密空間Ｅ１内に被試験体としてアノード側助触媒Ｃ１が担持された光触媒体Ｐを収容し、還元反応が起こるカソード側気密空間Ｅ２内に被試験体としてカソード側助触媒Ｃ２が担持された光触媒体Ｐを収容し、各気密空間Ｅ１、Ｅ２にそれぞれ酸化ガス又は還元ガスを供給しつつ所定波長の光を照射して起こる光触媒反応（酸化反応、還元反応）によって得られたガスを各気密空間Ｅ１，Ｅ２毎に回収するための装置である。
【００１７】
［被試験体について］
本実施形態の試験用ホルダ１に収容される被試験体は、板材の光触媒体Ｐの上面（表面）側にアノード側助触媒Ｃ１を、光触媒体の下面（裏面）側にカソード側助触媒Ｃ２をそれぞれ担持させた板状試料Ｓである。しかし、本発明の基本概念としては、２つの気密空間を設け、各空間にアノード側助触媒Ｃ１が担持された光触媒体Ｐ１と、カソード側助触媒Ｃ２が担持された光触媒体Ｐ２を独立して収容可能な装置形態であればよい。
【００１８】
よって、本実施形態において、被試験体は隔壁としての機能を果たす板状試料Ｓを使用し、形状を円盤形状としているが、例えば矩形形状や多角形形状など隔壁としての機能を有する板状であれば外形は特に限定されない。また、各気密空間を隔てる隔壁を他の部材を用いれば、光触媒体Ｐや助触媒Ｃが粉体や粒体であってもよい。
【００１９】
光触媒体Ｐは、所定波長の光の照射によって光触媒活性を示す触媒材料である。具体的には、酸化チタン、チタン酸ストロンチウム、酸化亜鉛、酸化タングステン、酸化銅、酸化鉄、酸化スズ、酸化セリウム、酸化ビスマス、酸化ニオブ、酸化ジルコニウム、酸化ガリウム、酸化インジウム、酸化カドミウム、酸化タンタル、バナジン酸ビスマス、鉄・カルシウム酸化物からなる群より選択される少なくとも一つの酸化物；硫化亜鉛、硫化カドミウム、硫化スズ、硫化銅、硫化鉛、硫化銀、硫化インジウム、硫化ビスマス、銅亜鉛スズ系硫化物からなる群より選択される少なくとも一つの硫化物などが挙げられる。また、前記酸化物と前記硫化物の複合体も好適に使用することができる。
【００２０】
光触媒体Ｐに担持される助触媒Ｃ（アノード側助触媒Ｃ１，カソード側助触媒Ｃ２）は、光触媒体Ｐの表面に担持され、光触媒体Ｐの光触媒活性を高める効果を奏する電子吸引性を有する金属又は金属化合物から構成される。具体的には、例えば白金、金、銀、ニッケル、コバルト、銅、ルテニウム、ロジウム、イリジウム、パラジウム、レニウム、鉄、マンガン、クロム、バナジウムなどの元素からなる金属乃至は金属酸化物などが挙げられる。
【００２１】
［装置構成について］
図１や図２に示すように、試験用ホルダ１は、アノード側ホルダ２と、カソード側ホルダ３と、シール部材４と、収容容器５と、弾性部材６と、蓋部材７と、固定部材８と、アノード側透過窓９と、アノード側ガス供給管１０と、アノード側ガス排出管１１と、カソード側透過窓１２と、カソード側ガス供給管１３と、カソード側ガス排出管１４と、集電体１５とで概略構成される。
【００２２】
なお、以下の実施形態では、各図においてアノードを上側、カソードを下側として規定しているため、板状試料Ｓの上面（表面）にアノード側助触媒Ｃ１が担持され、下面（裏面）にカソード側助触媒Ｃ２が担持され、アノード／カソードに合わせて各部品を配置した状態であるが、板状試料Ｓの上下面（表裏面）を逆転させた場合は、当然のことながら各部品の配置が逆になる。
【００２３】
本発明の試験用ホルダ１においてアノード側透過窓９やカソード側透過窓１２を介してアノード側気密空間Ｅ１又はカソード側気密空間Ｅ２に照射される光は、被照射物となる光触媒体Ｐが光触媒反応時に吸収して光励起するためのものである。例えば、光触媒体Ｐとしてバンドギャップが３ｅＶ程度の酸化チタンを用いる場合、その励起光として４００ｎｍ以下の紫外光が選択され、バンドギャップが２．０ｅＶの鉄・カルシウム系酸化物を使用する場合、波長６００ｎｍ以下の可視光と紫外光が選択される。
【００２４】
このような光を照射する光源Ｌとしては、使用する光触媒体Ｐのバンドギャップのエネルギーに応じて紫外光や可視光が好適なため、例えば、ＬＥＤ、水銀灯、蛍光灯、白熱電球、水銀・キセノンランプ、メタルハライドランプ、レーザーなどを、使用する光触媒体Ｐの種類に応じて適宜選択することができる。
【００２５】
アノード側ホルダ２は、試験時に高温加熱した際でも耐性を有するアルミナから成り、略中央部分には光を透過させる透過孔２ａが形成されている。また、アノード側ホルダ２における板状試料Ｓと対向する面には、光触媒反応における酸化反応に必要な光を透過させるアノード側透過窓９が配置される。
【００２６】
アノード側透過窓９は、アノード側ホルダ２の透過孔２ａにおける板状試料Ｓ側を塞ぐように配置される板材であり、光源Ｌから照射された光を透過させる。また、アノード側透過窓９は、改質されたガスの漏洩を防ぐため、アノード側ホルダ２との間に光透過用孔９ｂが形成された窓用シール９ａが介在されている。この窓用シール９ａには、アノード側ホルダ２の供給ガス流路２ｂや排気ガス流路２ｃの開口と相対する位置に開口孔９ｃが設けられている。
【００２７】
アノード側透過窓９は、板状試料Ｓの試験時の雰囲気に対して安定性があり、熱膨張係数がアノード側ホルダ２と近く、気密性が維持できる材料（例えば、サファイア、透光性アルミナ、石英などを主成分とする材料）で形成される。また、アノード側透過窓９には、アノード側ホルダ２の供給ガス流路２ｂや排気ガス流路２ｃの開口と相対する位置に開口孔９ｄが設けられている。
【００２８】
図１や図２に示すように、アノード側ホルダ２の一側面には、酸化反応に必要な酸化ガスをアノード側気密空間Ｅ１内に供給するアノード側ガス供給管１０と、アノード側気密空間Ｅ１内で酸化ガスから改質されたガスを排出するアノード側ガス排出管１１とが並設されている。
【００２９】
アノード側ガス供給管１０は、その一端がアノード側ホルダ２と接合され、アノード側ホルダ２内部に形成される供給ガス流路２ｂを介して酸化ガスをアノード側気密空間Ｅ１内に供給する。アノード側ガス供給管１０は、酸化ガスのガス流量が制御可能な流量調整手段を備えた酸化ガス供給部（図示せず）と接続される。
【００３０】
アノード側ガス供給管１０から供給される酸化ガスは、光触媒反応において光励起で生成した正孔によって酸化されるガスであり、例えば炭化水素系ガス（メタンなど）、水素などが挙げられる。また、酸化ガスは、他のガスで希釈したものを用いてもよく、露点制御された加湿ガスでもよい。
【００３１】
アノード側ガス排出管１１は、その一端がアノード側ホルダ２と接合され、アノード側気密空間Ｅ１内で酸化ガスから改質されたガスをアノード側ホルダ２内に形成される排気ガス流路２ｃを介して排出する。改質されたガスは、アノード側ガス排出管１１を介して吸引ポンプのような排気手段（図示せず）を用いて吸引し回収される。
【００３２】
カソード側ホルダ３は、アノード側ホルダ２と同様、試験時に高温加熱した際でも耐性を有するアルミナから成り、アノード側ホルダ２と略同一形状を成している。また、カソード側ホルダ３の略中央部分には光を透過させる透過孔３ａが形成されている。さらに、カソード側ホルダ３における板状試料Ｓと対向する面には、光触媒反応における還元反応に必要な光を透過させるカソード側透過窓１２が配置される。
【００３３】
カソード側透過窓１２は、カソード側ホルダ３の透過孔３ａにおける板状試料Ｓ側を塞ぐように配置される板材であり、光源Ｌから照射された光を透過させる。また、カソード側透過窓１２は、改質されたガスの漏洩を防ぐため、カソード側ホルダ３との間に光透過用孔１２ｂが形成された窓用シール１２ａが介在されている。この窓用シール１２ａには、カソード側ホルダ３の供給ガス流路３ｂや排気ガス流路３ｃの開口と相対する位置に開口孔１２ｃが設けられている。
【００３４】
カソード側透過窓１２は、板状試料Ｓの試験時の雰囲気に対して安定性があり、熱膨張係数がカソード側ホルダ３と近く気密性が維持できる材料（例えば、サファイア、透光性アルミナ、石英などを主成分とする材料）で形成される。また、カソード側透過窓１２には、カソード側ホルダ３の供給ガス流路３ｂや排気ガス流路３ｃの開口と相対する位置に開口孔１２ｄが設けられている。
【００３５】
図１や図２に示すように、カソード側ホルダ３の一側面には、還元反応に必要な還元ガスをカソード側気密空間Ｅ２内に供給するカソード側ガス供給管１３と、カソード側気密空間Ｅ２内で還元ガスから改質されたガスを排出するカソード側ガス排出管１４とが並設されている。
【００３６】
カソード側ガス供給管１３は、その一端がカソード側ホルダ３と接合され、カソード側ホルダ３内部に形成される供給ガス流路３ｂを介して還元ガスをカソード側気密空間Ｅ２内に供給する。カソード側ガス供給管１３は、還元ガスのガス流量が制御可能な流量調整手段を備えた還元ガス供給部（図示せず）と接続される。
【００３７】
カソード側ガス供給管１３から供給される還元ガスは、光触媒反応において光励起で生成した電子によって還元されるガスであり、例えば二酸化炭素、酸素などが挙げられる。また、還元ガスは、他のガスで希釈したものを用いてもよく、露点制御された加湿ガスでもよい。
【００３８】
カソード側ガス排出管１４は、その一端がカソード側ホルダ３と接合され、カソード側気密空間Ｅ２内で還元ガスから改質されたガスをカソード側ホルダ３内に形成される排気ガス流路３ｃを介して排出する。改質されたガスは、カソード側ガス排出管１４を介して吸引ポンプのような排気手段（図示せず）を用いて吸引し回収される。
【００３９】
シール部材４は、弾力性を有するセラミックス（例えば、バーミキュライト、マイカ、アルミナファイバーなど）からなる環状部材であり、板状試料Ｓの周縁部分と一部が重なるように配置される。シール部材４は、アノード側ホルダ２と板状試料Ｓとの間に一つ、カソード側ホルダ３と板状試料Ｓとの間に一つ配置した状態で挟持されることで、その厚みによりアノード側気密空間Ｅ１及びカソード側気密空間Ｅ２が形成されるとともに、各空間の気密性を確保することができる。
【００４０】
収容容器５は、アノード側ホルダ２やカソード側ホルダ３でシール部材４を介在させた状態で板状試料Ｓを挟持保持したまま収容可能な凹形状を有する略方形状の筐体である。収容容器５は、アノード側ホルダ２やカソード側ホルダ３と同様、試験時の高温に耐え得るアルミナで形成されている。収容容器５の内寸は、収容容器５に対する着脱容易性を考慮すると、各ホルダ２，３の外寸よりも１〜２ｍｍ程度大きく成形されている。
【００４１】
また、収容容器５は、アノード側ホルダ２に設けられたアノード側ガス供給管１０やアノード側ガス排出管１１，カソード側ガス供給管１３やカソード側ガス排出管１４を外部に引き出すため、周壁の一部に収容容器５の内部と連通する切欠部５ａが形成されている。
【００４２】
さらに、収容容器５には、固定部材８による締結固定を行うための複数の締結孔５ｂが形成されている。本実施形態では、収容容器５の上端面における４隅にそれぞれ形成され、その内表面に固定部材８の雄ネジと対応する雌ネジが形成されている。
【００４３】
また、収容容器５の底部における略中央部分には、光源Ｌから照射された光をカソード側ホルダ３のカソード側透過窓１２を介してカソード側気密空間Ｅ２内に透過させるための開口孔５ｃが設けられている。なお、開口孔５ｃは、光の入射の妨げとならないようにその中心がカソード側透過窓１２の中心と一致するように形成されている。
【００４４】
弾性部材６は、圧縮の荷重により弾性変形（伸縮）する部材で構成される。本実施形態では、電気炉２０による高温加熱にも耐え得るように、セラミック製（例えば窒化珪素）の圧縮バネを使用する。弾性部材６は、蓋部材７に形成された収容凹部７ａに一部が突出した状態で収容され、蓋部材７で収容容器５の開口部分を閉塞したときに押し込まれることで弾性的に付勢して板状試料Ｓとシール部材４に荷重が加わる。これにより、シール部材４が圧縮されてアノード側気密空間Ｅ１及びカソード側気密空間Ｅ２の気密性が確保される。弾性部材６の外径は、収容凹部７ａの天井面やアノード側ホルダ２の表面と当接する径サイズで設計される。
【００４５】
蓋部材７は、アノード側ホルダ２、カソード側ホルダ３及び収容容器５と同様、試験時の高温に耐え得るアルミナで形成され、外寸が収容容器５と略同一となっている。また、蓋部材７の表面略中央部分には、弾性部材６を収容する収容凹部７ａが立設されている。
【００４６】
収容凹部７ａは弾性部材６が収容される部分であり、その内寸は弾性部材６の着脱容易性を考慮しつつ収容した弾性部材６が内側で暴れない程度の隙間が生じるように、弾性部材６の外寸よりも１〜２ｍｍ程度大きく形成されている。
【００４７】
また、収容凹部７ａの天井面には、光源Ｌから照射された光をアノード側気密空間Ｅ１内に透過させるための開口孔７ｂが設けられている。この開口孔７ｂは、光の入射の妨げとならないように、その中心がアノード側透過窓９の中心と一致するように形成されている。
【００４８】
また、蓋部材７の四隅には、固定部材８を挿通するためのネジ挿通孔７ｃが形成されている。このネジ挿通孔７ｃは、蓋部材７で収容容器５の開口部分を閉塞したときに、対向する締結孔５ｂと一直線上に重なる位置に形成される。
【００４９】
固定部材８は、電気炉２０による高温加熱にも耐え得るようにセラミック製のボルトで構成され、軸部の外周面には締結孔５ｂの雌ネジと対応する雄ネジが形成されている。
【００５０】
また、本実施形態の試験用ホルダ１では、光触媒体Ｐの電流量（電子の流れ）を計測して光触媒反応によって改質されたガスを定量化するため、光触媒体Ｐに担持されるアノード側助触媒Ｃ１とカソード側助触媒Ｃ２の表面にそれぞれ集電体１５を介在させた状態で挟持保持させている。集電体１５は、アノード側にアノード側集電体１５ａ、カソード側にカソード側集電体１５ｂが配置される。
【００５１】
アノード側集電体１５ａとカソード側集電体１５ｂは、光源Ｌからの光を妨げないように光照射孔径よりも内径が大きなメッシュ状の環状部材が採用される。また、アノード側集電体１５ａには酸化反応の影響を受けない金属を採用し、カソード側集電体１５ｂには還元反応の影響を受けない金属を採用する。例えばドライリフォーミングによる二酸化炭素の合成ガスへの化学変換を行う場合、アノード側にはメタンガスが供給され、カソード側には二酸化炭素が供給されるため、アノード側集電体１５ａにはＡｕ、カソード側集電体１５ｂにはＰｔが使用される。
【００５２】
また、集電体１５の電流量を計測する場合、アノード側集電体１５ａはアノード側ガス供給管１０又はアノード側ガス排出管１１、カソード側集電体１５ｂはカソード側ガス供給管１３又はカソード側ガス排出管１４から挿通したリード線（図示せず）を介して計測される。
【００５３】
なお、集電体１５の形状は、板状試料Ｓの形状に合わせて環状を成しているが、例えば矩形形状や多角形形状など、光の照射を妨げないように透過用の孔が形成されていればその外形は特に限定されない。
【００５４】
以上のように、本実施形態の試験用ホルダ１は、アノード側ホルダ２とカソード側ホルダ３とを突き合わせ、その間に板状試料Ｓを隔壁としてシール部材４、集電体１５を所定位置に介在させた状態で挟持保持したまま収容容器５に収容し、弾性部材６を介在させた状態で蓋部材７により収容容器５の開口部分を閉塞し、ネジ挿通孔７ｃ側から固定部材８を挿通して締結固定される。
【００５５】
このような構成とすることで、アノード側ホルダ２とカソード側ホルダ３との間の板状試料Ｓを境界としてアノード側気密空間Ｅ１とカソード側気密空間Ｅ２が形成され、アノード側気密空間Ｅ１内にはアノード側助触媒Ｃ１が担持された光触媒体Ｐが収容され、カソード側気密空間Ｅ２内にはカソード側助触媒Ｃ２が担持された光触媒体Ｐが収容される。よって、各気密空間内で別々に光触媒反応が起こるため、酸化ガスや還元ガスから改質されたガスを個別に回収して分析することが可能となる。
【００５６】
［電気炉について］
上述した試験用ホルダ１による光触媒反応試験を実施する際に、光触媒反応を促進させるための加熱が必要なときは下記構成を有する電気炉２０を使用する。
【００５７】
なお、図３は、電気炉２０内に試験用ホルダ１は横向きに傾倒した状態で収容し、水平方向に切断した下部分を上方から見た図である。また、試験用ホルダ１を構成する各部の符号は図面の見易さを考慮して省略し、主に電気炉２０の符号を付す。
【００５８】
図３に示すように、本実施形態の電気炉２０は、筐体の内壁として使用されるセラミックファイバー製の断熱材の内周面を覆うように温度制御可能なヒータ２０ａが設けられ、断熱材の底部における略中央部分には試験用ホルダ１を載置する台座２１が配置されている。
【００５９】
また、試験用ホルダ１は光触媒体Ｐからなる板状試料Ｓを被試験体とするため、電気炉２０にも光源Ｌからの光をホルダ内に入射させる構成が必要となる。そのため、本実施形態で使用する電気炉２０は、その筐体の側面に内部まで貫通する貫通孔２２が形成され、この貫通孔２２に光源Ｌからの光を入射させるための光路２３が形成されている。
【００６０】
光路２３は、電気炉２０内に設置されるため、例えばアルミナなどの耐熱性を有し、且つ光を吸収しない材質で構成されている。また、入射される光の乱反射を防止するため、内面に平滑処理が施されている。本実施形態において、光路２３は、円筒形状の２つの光路（第１光路２３ａ、第２光路２３ｂ）で構成される。第１光路２３ａは、アノード側透過窓９を介してアノード側気密空間Ｅ１内に光を入射させ、第２光路２３ｂは、カソード側透過窓１２を介してカソード側気密空間Ｅ２内に光を入射させる。
【００６１】
台座２１は、試験用ホルダ１の高さ寸法に合わせて高さ調整が適宜可能となっており、収容容器５のサイズに応じて、アノード側透過窓９の中心と第１光路２３ａの開口中心及びカソード側透過窓１２と第２光路２３ｂの開口中心がそれぞれ一致するように高さを合わせることができる。
【００６２】
また、電気炉２０の貫通孔２２における外壁面側の開口を塞ぐように透過窓２４がそれぞれ設けられている。この透過窓２４は、光源Ｌからの光の波長を変えることなく透過させ、さらに電気炉２０を駆動したときの高温に耐え得る材質（例えば、サファイア、透光性アルミナ、石英などを主成分とする材料）で形成されている。
【００６３】
［組み立て・設置手順について］
次に、上述した構成の試験用ホルダ１の組み立て手順及び電気炉２０への設置手順について一例を挙げて説明する。
まず、筐体下部を構成するカソード側ホルダ３を収容容器５に収容し、窓用シール１２ａ、カソード側透過窓１２の順で載置し、その上にシール部材４、板状試料Ｓ、シール部材４の順に載置し、最後にアノード側透過窓９、窓用シール９ａ、アノード側ホルダ２の順で載置する。これにより、アノード側ホルダ２とカソード側ホルダ３とでシール部材４を介在させた状態で板状試料Ｓが挟持される。
【００６４】
次に、弾性部材６をアノード側ホルダ２表面の略中央部分に載置し、弾性部材６が収容凹部７ａに収容されるように蓋部材７で収容容器５の開口部分を閉塞する。閉塞後は、固定部材８をネジ挿通孔７ｃに挿通させながら収容容器５の締結孔５ｂにネジ込んで試験用ホルダ１を収容容器５に収容する。これにより、収容容器５内で弾性部材６の付勢力が作用してアノード側ホルダ２及びカソード側ホルダ３に荷重がかかるため、板状試料Ｓを境界としてアノード側気密空間Ｅ１とカソード側気密空間Ｅ２が形成される。
【００６５】
そして、試験用ホルダ１を収容した収容容器５を電気炉２０の台座２１に載置し、収容凹部７ａの開口孔７ｂの中心と第１光路２３ａの中心とが一致するとともに、収容容器５の開口孔５ｃの中心と第２光路２３ｂの中心とが一致するように、収容容器５の向きや台座２１の高さ調製を行って電気炉２０への設置が完了する。
【００６６】
以降は、電気炉２０による試験用ホルダ１の加熱や酸化ガス又は還元ガスの供給制御や改質されたガスの排気制御を適宜行い、光触媒体Ｐの光触媒反応により改質されたガスの各種分析が行われる。
【００６７】
以上のように、上述した試験用ホルダ１は、板状の光触媒体Ｐのおける一方の面にアノード側助触媒Ｃ１が担持され、他方の面にカソード側助触媒が担持される板状試料Ｓを被試験体とし、この板状試料Ｓを筐体となるアノード側ホルダ２とカソード側ホルダ３との間にシール部材４を介在させ挟持保持することでアノード側気密空間Ｅ１とカソード側気密空間Ｅ２が形成される。
【００６８】
これにより、筐体内に板状試料Ｓを境界としてアノード側気密空間Ｅ１，カソード側気密空間Ｅ２内に酸化反応又は還元反応を促進させる異なる助触媒Ｃが担持された光触媒体Ｐが個別に収容されるため、各空間に酸化ガス又は還元ガスを個別に供給して光触媒反応により改質されたガスの回収を空間毎に行うことができる。よって、供給した酸化ガスや還元ガスのガス流量に対する反応効率を正確に把握することができるため、助触媒Ｃと光触媒体Ｐの新規の組み合わせに関する研究を効率よく行うことができる。
【００６９】
ところで、本発明は上述した実施形態に限定されるものではなく、使用環境等に応じて適宜変更して実施することもできる。
【符号の説明】
【００７０】
１…光触媒体試験用ホルダ
２…アノード側ホルダ
３…カソード側ホルダ
４…シール部材
５…収容容器（５ａ…切欠部、５ｂ…締結孔、５ｃ…窓部）
６…弾性部材
７…蓋部材（７ａ…収容凹部、７ｂ…窓部、７ｃ…ネジ挿通孔）
８…固定部材
９…アノード側透過窓（９ａ…窓用シール）
１０…アノード側ガス供給管
１１…アノード側ガス排出管
１２…カソード側透過窓（１２ａ…窓用シール）
１３…カソード側ガス供給管
１４…カソード側ガス排出管
１５…集電体（１５ａ…アノード側集電体、１５ｂ…カソード側集電体）
２０…電気炉
２１…台座
２２…貫通孔
２３…光路（２３ａ…第１光路、２３ｂ…第2 光路）
Ｃ…助触媒（Ｃ１…アノード用助触媒、Ｃ２…カソード用助触媒）
Ｅ１…アノード側気密空間
Ｅ２…カソード側気密空間
Ｐ（Ｐ１，Ｐ２）…光触媒体
Ｓ…板状試料
【図１】
2020028864.tif 000003
【図２】
2020028864.tif 000004
【図３】
2020028864.tif 000005